(57)【要約】【課題】輝度が急激に変化する映像の視聴者に及ぼす影響をより低減する。【解決手段】  表示装置１０は、画像を表示する表示部１と、光源部Ｌ１〜Ｌ６を備え、表示部１の周辺が光るように構成された周辺発光部２と、映像を入力するアンテナ１８（又はＩ／Ｆ１２）と、入力部から入力された映像において所定時間あたりの輝度の変化量が所定値よりも大きいシーンが存在する場合当該シーンの表示に先立って発光部を発光させるＬＥＤ制御部１６を備える。例えば、映像信号中に輝度の変化量が大きいシーンの時刻情報が記述されている場合は、その時刻情報に基づいて発光部を発光させ、時刻情報の記述がない場合は、入力部から入力された映像の輝度を測定し、測定した輝度の変化量に基づいて発光部を発光させる。【選択図】図６
2014064229.tif 000002
【特許請求の範囲】
【請求項１】
画像を表示する表示部と、
光源を備え、該表示部の周辺が光るように構成された発光部と、
映像を入力する入力部と、
入力部から入力された映像において、所定時間あたりの輝度の変化量が所定値よりも大きいシーンが存在する場合、当該シーンの表示に先立って発光部を発光させる制御部、
を備えることを特徴とする、表示装置。
【請求項２】
制御部は、
映像信号中に輝度の変化量が大きいシーンの時刻情報が記述されている場合は、その時刻情報に基づいて発光部を発光させ、
前記時刻情報の記述がない場合は、入力部から入力された映像の輝度を測定し、測定した輝度の変化量に基づいて発光部を発光させる、請求項１記載の表示装置。
【請求項３】
制御部は、発光部が発光したのち、所定時間の間、発光部を発光させない制御を行う、請求項１記載の表示装置。
【請求項４】
該表示装置の設置場所の明るさを測定する照度センサを更に備え、
制御部は、照度センサの出力が大きい場合の前記所定値を、照度センサの出力が小さい場合の前記所定値よりも小さくする、請求項１記載の表示装置。
【発明の詳細な説明】
【技術分野】
【０００１】
本発明は、表示部の周辺部に発光部を設けた表示装置に関する。
【背景技術】
【０００２】
輝度が急激に変化する映像コンテンツを視聴した視聴者が体調不良を訴えるケースが報告されている。例えば、ストロボやフラッシングなどの激しい点滅を連続して使用した映像で構成されるテレビアニメの視聴者、特に子供を中心とした多数の視聴者が光過敏性発作を起こした事件が1１９９７年にあった。これを受け放送界では、非特許文献１に示すガイドラインを策定している。同ガイドラインでは、（１）映像や光の点滅は、原則として１秒間に３回を超える使用を避ける、（２）コントラストの強い画面の反転や、画面の輝度変化が２０パーセントを超える急激な場面転換は、原則として１秒間に３回を超えて使用しない、（３）規則的なパターン模様 （縞模様、渦巻き模様、同心円模様など） が、画面の大部分を占めることも避ける、といったルールを策定している。
【先行技術文献】
【特許文献】
【０００３】
【非特許文献１】「アニメーション等の映像手法に関するガイドライン」（1998年4月8日、日本放送協会、（社）日本民間放送連盟、1348189507234_0.html、2012年7月6日検索）
【発明の概要】
【発明が解決しようとする課題】
【０００４】
上記ガイドラインは、映像が視聴者に及ぼす影響を少なくするための方法として有効であるが、このようなコンテンツ側の工夫だけではなく、表示装置側の工夫も有効であると考えられる。これに鑑み、本発明は創作されたものである。
【課題を解決するための手段】
【０００５】
本発明の表示装置は、画像を表示する表示部と、光源を備え該表示部の周辺が光るように構成された発光部と、映像を入力する入力部と、入力部から入力された映像において、所定時間あたりの変化量が所定値よりも大きいシーンが存在する場合、当該シーンの表示に先立って発光部を発光させる制御部、を備えることを特徴とする。
【発明の効果】
【０００６】
輝度が急激に変化する映像の視聴者に及ぼす影響をより低減する。
【図面の簡単な説明】
【０００７】
【図１】表示装置１０の前面斜視図である。
【図２】表示装置１０の使用イメージ図である。
【図３】表示装置１０の正面図である。
【図４】光源部Ｌ１近傍の正面斜視図である。
【図５】光源部Ｌ１近傍の垂直断面図である。
【図６】表示装置１０の周辺部の発光態様を示す図である。
【図７】本発明の原理を説明する図である。
【図８】表示装置１０の回路ブロック図である。
【図９】表示装置１０の周辺部の発光制御のフロー図である。
【図１０】表示装置１０の周辺部の他の発光態様を示す図である。
【発明を実施するための形態】
【０００８】
以下、本発明の実施例である表示装置について、図面を参照して説明する。
【０００９】
図１は、表示装置１０の前面斜視図である。表示装置１０は、液晶パネル等で構成される表示部１、及び表示部１を収納するための筐体の前側部分であるフロントキャビネット３、及びフロントキャビネット３の外側、即ち表示部１の側部四辺に設けられた周辺発光部２を備えている。同図（ａ）は、周辺発光部２が発光していない場合の図であり、同図（ｂ）は周辺発光部２が発光している場合を示す図である。
【００１０】
図２は、表示装置１０の使用イメージ図である。テレビの外装部分に光を取り入れることにより、インテリアと調和したデザインが実現される。また、周辺発光部２の発光により、メール到着や機器故障の報知を実現することもできる。
【００１１】
図３は、表示装置１０の正面図である。周辺発光部２では、上下側に各２組、左右に各１組の光源部が備えられる。表示部１の上側裏面部には、左側に光源部Ｌ１が、右側に光源部Ｌ２が備えられる。表示部１の左側裏面部には、中央部分に光源部Ｌ３が備えられる。表示部１の右側裏面部には、中央部分に光源部Ｌ４が備えられる。表示部１の下側裏面部には、左側に光源部Ｌ５が、右側に光源部Ｌ６が備えられる。
【００１２】
図４は、上記光源部の詳細を説明するための図であり、光源部Ｌ１近傍の正面斜視図である。  光源部Ｌ２の構成も光源部Ｌ１と同様であり、また、光源部Ｌ３〜Ｌ６についても、向きの違いはあるが、構成自体は同様である。したがって、以下では光源部Ｌ１を例に光源部の詳細を説明する。
【００１３】
光源部Ｌ１は、ＬＥＤ光源２２ａ、２２ｂを備える。各ＬＥＤ光源２２は、赤、青、緑の、三色のＬＥＤからなる。ＬＥＤ光源２２ａの各ＬＥＤは左方に光を出射する。ＬＥＤ光源２２ｂの各ＬＥＤは右方に光を出射する。ＬＥＤ光源２２から出射した光は導光板２４に入射する。一部の光は側方へ進み、一部の光は上方へ進む。このうち、上方へ進んだ光は上面２５、２６等で屈折して前方へ進み、傾斜面２７からやや斜め上方に向けて出射される。即ち、傾斜面２７が光って見えることとなる。したがって、表示装置１０の視聴者から見れば、あたかも表示部１の上側の枠部が光るような態様で見えることとなる。
【００１４】
上記構成において、光源部Ｌ１、Ｌ２の各ＬＥＤが光った場合、各光源部からの光は導光板２４内を、左右に、又、上方向に拡散することとなるため、その結果、周辺発光部２のうち、表示部１の上側の枠全体が光ることとなる。同様に、光源部Ｌ３の各ＬＥＤが光ることで、周辺発光部２のうち、表示部１の左側の枠全体が光ることとなる。また、光源部Ｌ４の各ＬＥＤが光ることで、周辺発光部２のうち、表示部１の右側の枠全体が光ることとなる。そして、光源部Ｌ５、Ｌ６の各ＬＥＤが光ることで、周辺発光部２のうち、表示部１の下側の枠全体が光ることとなる。
【００１５】
図５は、光源部Ｌ１近傍を他の角度から見たときの垂直断面図である。即ち、図３におけるＡ−Ａ’線に沿う断面図のうち、上側部分を示したものである。同図のように導光板２４は、略Ｌ字型の断面形状を有している。導光板２４の下側部分は、フロントキャビネット３の背面と、バックキャビネット４の前面とで挟まれるような態様となっている。また、導光板２４の上側部分はフロントキャビネット３の上面に乗せられたような態様となっている。導光板２４の下方にはＬＥＤ光源２２がある。ＬＥＤ光源２２の下方には、このＬＥＤ光源２２を駆動するためのＬＥＤ駆動回路基板２８がある。また、ＬＥＤ駆動回路基板２８の背面側下方にはコネクタ２９が装着されている。このコネクタ２９は、所謂メインボード（図８で後述する）からの信号線を接続するためのものである。
【００１６】
図６は、表示装置１０の周辺部の発光態様を示す図である。表示装置１０では、（ａ）⇒（ｂ）⇒（ｃ）⇒（ｄ）の時系列順で表示が行われるものとする。同図（ａ）は、通常のシーンが表示部１に表示されている状態を示す図である。同図（ｄ）は、激しい点滅シーンが表示部１に表示されている状態を示す図である。ここで、図（ａ）の映像から、急に図（ｄ）の映像に切り替わると、上述のように、視聴者が体調不良を起こす虞がある。そこで、表示装置１０では、図（ｄ）の映像の表示に先立って、まず図（ｂ）のように、周辺部を弱く光らせ、次に図（ｃ）のように周辺部を強く光らせる。これにより、視聴者の負担を軽減することが期待できる。
【００１７】
図７は、その原理を説明する図である。例えば、表示部１に表示される映像の輝度が時刻ｔ１を境に急激に変化するものとする。この場合、この時刻ｔ１に先立って、図６の（ｂ）（ｃ）で示すような態様で周辺発光部２を発光させる。これにより、表示装置１０の視聴者としては、図７の「補正輝度」のカーブで示されるような、徐々に輝度が変化する映像を見ることと等価な状態となるため、負担が軽減されるものと考えられる。つまり、急激な映像変化に伴う体調不良の発生が防止できる。
【００１８】
図８は、表示装置１０の回路ブロック図である。表示装置１０は、既に説明した表示部１、ＬＥＤ２２、ＬＥＤ駆動回路基板２８の他、チューナ１１、ネットワークインタフェース（Ｉ／Ｆ）１２、デマルチプレクサ（ＤＥＭＵＸ）１３、映像デコーダ１４、音声デコーダ１５、ＬＥＤ制御部１６、アンテナ１８、ＬＣＤ制御回路１９、スピーカ３０、音声出力回路３１などを備えている。
【００１９】
チューナ１１は、アンテナ１８が受信した地上波放送又は衛星放送の信号から、ユーザが所望のチャネルの信号を抽出する。Ｉ／Ｆ１２は、イーサネット（登録商標）等の有線通信網により表示装置１０に入力された信号を受信する。ＤＥＭＵＸ１３は、チューナ１１で抽出した信号、又はＩ／Ｆ１２が受信した信号から、映像信号と音声信号を分離する。また、分離前の信号にデータ放送信号が含まれている場合、或いはヘッダ部分に所定の情報が含まれている場合は、それらの抽出も行う。
【００２０】
映像デコーダ１４は、ＤＥＭＵＸ１３で分離した映像信号をデコード（復号）する。例えば、ＭＰＥＧ２形式で符号化された映像信号の復号を行う。復号された映像信号は表示部１の液晶パネルを制御するＬＣＤ制御回路１９へ送出される。液晶パネルは、この映像信号に基づき変調されることとなる。
【００２１】
音声デコーダ１５は、ＤＥＭＵＸ１３で分離した音声信号をデコードする。例えば、ＭＰＥＧ―ＡＡＣ形式で符号化された音声信号の復号を行う。音声出力回路３１は、アンプ回路等を備えており、音声デコーダ１５で復号された音声信号を増幅してスピーカ３０へ出力する。
【００２２】
ＬＥＤ制御部１６は、まず、映像デコーダ１４で復号された映像信号の輝度を分析する。輝度の変化量が大きい場合、周辺発光部２の各ＬＥＤを発光させるべく、ＬＥＤ駆動回路基板２８へ制御信号を出力する。なお、ＬＥＤ制御部１６による周辺発光部２の制御例は、上述の図６の例、或いは後述の図９の例で示すとおりである。
【００２３】
ＬＥＤ駆動回路基板２８は、ＬＥＤ２２を駆動するための回路であり、ＬＥＤ制御部１６からの信号、ならびに（図示しない）電源回路から供給されるＤＣ電源に基づいてＬＥＤ２２を駆動する。
【００２４】
なお、説明を省略したが、表示装置１０は、上記以外にも、表示装置１０全体を制御す
る制御部としてのＣＰＵや、映像信号を一旦蓄積するためのメモリ（ＳＲＡＭ）等を備えている。
【００２５】
図９は表示装置１０において実行される制御のフローを示す図である。特にここでは、ＬＥＤ制御部１６が実行する制御について説明する。まず、ステップＳ１では、ＬＥＤ制御部１６に入力された映像信号の輝度を分析する。特に単位時間当たりの輝度の変化量の算出を行う。ステップＳ２では、単位時間当たりの輝度の変化量が所定値よりも大きいか否かを判定する。所定値よりも大きい場合は、ステップＳ３へ進み、周辺発光部２を発光させる制御を行う。例えば、図６や図７で示すように、輝度が急激に変化する時刻に先立って周辺発光部２を発光させる制御を行う。ステップＳ３の処理の終了後、又はステップＳ２でＮｏと判定された場合は、ステップＳ１へ戻る。
【００２６】
なお、ステップＳ３の処理により、一旦周辺光を光らせた場合、即座にステップＳ１に戻るのではなく、一定時間の経過後にステップＳ１に戻るようにしても良い。なぜならば、映像が点滅するようなシーンが継続する場合、単純な処理を行った場合、周辺光も映像の点滅に同期して点滅させることとなり、却って好ましくないと考えられるからである。また、ステップＳ２においては、瞬間的な輝度の変化量に基づくのではなく、所定時間の輝度の平均値（又は積分値）の変化量に基づいて判定を行うものであっても良い。
【００２７】
以上、本発明の実施例を説明したが、本発明の各部構成は上記実施例に限らず、特許請求の範囲に記載の技術的範囲内で種々の変形が可能である。例えば以下の変形例が考えられる。
【００２８】
例えば、図６のように、通常の映像（図ａ）と、点滅映像（図ｄ）の間で２段階の強度で周辺発光部２を発光させる代わりに、図１０に示すように、通常の映像（図ａ）と、点滅映像（図ｃ）の間に、図ｂのように一定強度の周辺発光部２を光らす構成でも良い。或いは、周辺発光部２を３段階での強度、或いは強度が連続的に変化するように光らせても良い。
【００２９】
また、上記例では、ＬＥＤ制御部１６は実際に入力される映像信号の輝度を測定した上で周辺発光部２の発光制御をしているが、映像信号のヘッダ部に、映像輝度が急激に変化する時刻情報が記述されている場合、ＬＥＤ制御部１６はその情報に基づいて発光制御を行うものであっても良い。
【００３０】
また、表示装置１０は、設置場所の明るさを測定する照度センサを備えていても良く、ＬＥＤ制御部１６は、設置場所の明るさにも基づいてＬＥＤ２２の発光制御を行っても良い。例えば、表示装置１０の設置場所が明るい場合は、映像輝度の変化量が大きい場合であっても、視聴者に与える負担が小さいと考えられる。したがって、設置場所が明るい場合は、輝度の変化が比較的大きい場合であっても、上記図９のフローチャートのステップＳ２において、Ｎｏと判断する（即ちＬＥＤ２２の発光を行わない）ようにしても良い。
【００３１】
また、上記では表示部１の四辺が光るように周辺発光部２が設けられているが、表示部１の一辺（例えば下辺のみ、上辺のみ）が光るように周辺発光部２を設けても良い。
【産業上の利用可能性】
【００３２】
本発明は、液晶テレビ、プラズマテレビの画像表示装置などに適用可能である。
【符号の説明】
【００３３】
１  表示部
２  周辺発光部
３  フロントキャビネット
４  バックキャビネット
１０  表示装置
１１  チューナ
１２  Ｉ／Ｆ
１３  ＤＥＭＵＸ
１４  映像デコーダ
１５  音声デコーダ
１６  ＬＥＤ制御部
１８  アンテナ
１９  ＬＣＤ制御回路
２２  ＬＥＤ光源
２２ａ  ＬＥＤ光源
２２ｂ  ＬＥＤ光源
２４  導光板
２８  駆動回路基板
２９  コネクタ
３０  スピーカ
３１  音声出力回路
Ｌ１  光源部
Ｌ２  光源部
Ｌ３  光源部
Ｌ４  光源部
Ｌ５  光源部
Ｌ６  光源部
【図１】
2014064229.tif 000003
【図２】
2014064229.tif 000004
【図３】
2014064229.tif 000005
【図４】
2014064229.tif 000006
【図５】
2014064229.tif 000007
【図６】
2014064229.tif 000008
【図７】
2014064229.tif 000009
【図８】
2014064229.tif 000010
【図９】
2014064229.tif 000011
【図１０】
2014064229.tif 000012